【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
個体を識別する為の個体識別情報を含む信号である個体識別信号を送信する送信装置が存在する所定の空間を撮影して映像情報を取得する撮影手段と、
前記個体識別信号の発信場所を特定する為の空間分解能を有し、前記送信装置から送信される個体識別信号を受信する受信手段と、
前記撮影手段によって取得した前記映像情報と、前記受信手段によって受信した前記個体識別信号の発信場所とを対応付ける統括手段と、
を具備することを特徴とする個体情報識別システム。
【請求項２】
前記撮影手段及び前記受信手段は、それぞれ受光部を含み、
前記撮影手段における受光部と前記受信手段における受光部とは略同一の光軸を有する
ことを特徴とする請求項１に記載の個体情報識別システム。
【請求項３】
前記受信手段は、複数の信号受信装置を有し、
前記信号受信装置は、
受信した信号のうち前記個体識別信号のみを抽出する為の抽出手段と、
前記抽出手段により抽出された前記個体識別信号を電圧信号に変換する変換手段と、
前記変換手段から出力された電圧信号における低周波成分を遮断する処理を行うフィルタ手段と、
前記フィルタ手段から出力された信号の波形をデジタル化するデモジュレータと、
前記デモジュレータよってデジタル化された信号を一時格納する記憶手段と、
前記記憶手段から信号を読み出して、デコード処理によって誤り検出を行う誤り検出手段と、
を備えることを特徴とする請求項２に記載の個体情報識別システム。
【請求項４】
前記誤り検出手段は、誤り検出処理を行った結果、誤りが検出されなかった場合には、前記記憶手段から読み出した信号から個体識別情報を抽出し、該個体識別情報を前記統括手段に送信することを特徴とする請求項３に記載の個体情報識別システム。
【請求項５】
前記送信装置は、
各々の当該送信装置に特有の経時的パターンで発光する発光素子と、
前記送信装置同士で互いに異なるように各々の当該送信装置毎に付与された前記個体識別情報を保持している識別情報記憶手段と、
前記識別情報記憶手段によって保持されている前記個体識別情報を読み取り、前記個体識別情報を所定の発光パターンに変換して、前記発光素子を点滅させる駆動回路と、
を備えることを特徴とする請求項２乃至請求項４のうち何れか一つに記載の個体情報識別システム。
【請求項６】
前記送信装置は、前記個体識別信号を送信する際に、送信休止時間をランダムに設けることを特徴とする請求項５に記載の個体情報識別システム。
【請求項７】
前記送信装置が送信する個体識別信号は、各々の送信装置毎に付与された前記個体識別情報を、誤り検出符号でエンコード処理した信号光であることを特徴とする請求項６に記載の個体情報識別システム。
【請求項８】
前記送信装置は、前記所定の空間に入る人間に装着され、
各々の前記送信装置毎に付与された前記個体識別情報と、当該送信装置を装着する人間に関する個人特定情報と、を対応付ける為の登録装置を更に具備することを特徴とする請求項７に記載の個体情報識別システム。
【請求項９】
前記登録装置は、前記所定の空間へ出入りする為の扉の電磁ロック及びその解除を行う装置であり、
前記信号受信装置と同様の構成を採る信号受信登録手段と、
前記個人特定情報が記録された磁気カードを読み取る為の読み取り手段と、
を備え、
前記磁気カードが前記読み取り手段に読み取られ且つ前記送信装置から送信された個体識別信号が前記信号受信登録手段により受信されると、当該登録装置は電磁ロックの解除を行うと共に、前記信号受信登録手段が検出した前記個体識別情報と、前記磁気カードから読み出した前記個人特定情報とを対応付け、この対応付けによって作成した対応情報を、前記統括手段に送信することを特徴とする請求項８に記載の個体情報識別システム。
【請求項１０】
焦点距離ｆの凸レンズが、当該撮影手段の瞳から前記距離ｆだけ被写体側へ離れた位置に設けられ、前記凸レンズを底面とする柱状の空間を撮影して映像情報を取得する平行視野撮影手段と、前記個体識別信号の発信場所を特定する為の空間分解能を有し、前記平行視野撮影手段によって撮影される監視対象空間に存在する送信装置から送信される個体識別信号を受信する受信手段と、を有する平行視野ＩＤ識別撮影手段と、
前記平行視野撮影手段によって取得した映像情報と、前記受信手段によって受信した前記個体識別信号の発信場所とを対応付ける統括手段と、
を具備し、
前記撮影手段における受光部と前記受信手段における受光部とは略同一の光軸を有することを特徴とする個体情報識別システム。
【請求項１１】
前記凸レンズはフレネルレンズによって構成されていることを特徴とする請求項１０に記載の個体情報識別システム。
【請求項１２】
前記監視対象空間における天井面には、複数の前記平行視野ＩＤ識別撮影手段が、前記凸レンズを前記監視対象空間に向けて配列されていることを特徴とする請求項１１に記載の個体情報識別システム。
【請求項１３】
前記受信手段は、複数の信号受信装置を有し、
前記信号受信装置は、
受信した信号のうち前記個体識別信号のみを抽出する為の抽出手段と、
前記抽出手段により抽出された前記個体識別信号を電圧信号に変換する変換手段と、
前記変換手段から出力された電圧信号における低周波成分を遮断する処理を行うフィルタ手段と、
前記フィルタ手段から出力された信号の波形をデジタル化するデモジュレータと、
前記デモジュレータよってデジタル化された信号を一時格納する記憶手段と、
前記記憶手段から信号を読み出して、デコード処理によって誤り検出を行う誤り検出手段と、
を備えることを特徴とする請求項１２に記載の個体情報識別システム。
【請求項１４】
前記誤り検出手段は、誤り検出処理を行った結果、誤りが検出されなかった場合には、前記記憶手段から読み出した信号から個体識別情報を抽出して、該個体識別情報を前記統括手段に送信することを特徴とする請求項１３に記載の個体情報識別システム。
【請求項１５】
前記送信装置は、
各々の当該送信装置に特有の経時的パターンで発光する発光素子と、
前記送信装置同士で互いに異なるように各々の当該送信装置毎に付与された前記個体識別情報を保持している識別情報記憶手段と、
前記識別情報記憶手段によって保持されている前記個体識別情報を読み取り、前記個体識別情報を所定の発光パターンに変換して、前記発光素子を点滅させる駆動回路と、
を備えることを特徴とする請求項１４に記載の個体情報識別システム。
【請求項１６】
前記送信装置は、前記個体識別信号を送信する際に、送信休止時間をランダムに設けることを特徴とする請求項１５に記載の個体情報識別システム。
【請求項１７】
前記送信装置が送信する個体識別信号は、各々の送信装置毎に付与された前記個体識別情報を、誤り検出符号でエンコード処理した信号光であることを特徴とする請求項１６に記載の個体情報識別システム。
【請求項１８】
前記送信装置は、前記所定の空間に入る人間に装着され、
各々の前記送信装置毎に付与された前記個体識別情報と、当該送信装置を装着する人間に関する個人特定情報と、を対応付ける為の登録装置を更に具備することを特徴とする請求項１７に記載の個体情報識別システム。
【請求項１９】
前記登録装置は、前記所定の空間へ出入りする為の扉の電磁ロック及びその解除を行う装置であり、
前記信号受信装置と同様の構成を採る信号受信登録手段と、
前記個人特定情報が記録された磁気カードを読み取る為の読み取り手段と、
を備え、
前記磁気カードが前記読み取り手段に読み取られ且つ前記送信装置から送信された個体識別信号が前記信号受信登録手段により受信されると、当該登録装置は電磁ロックの解除を行うと共に、前記信号受信登録手段が検出した前記個体識別情報と、前記磁気カードから読み出した前記個人特定情報とを対応付け、この対応付けによって作成した対応情報を、前記統括手段に送信することを特徴とする請求項１８に記載の個体情報識別システム。
【手続補正２】
【補正対象書類名】明細書
【補正対象項目名】００１０
【補正方法】変更
【補正の内容】
【００１０】
上記の目的を達成するために、請求項１に記載の本発明による個体情報識別システムは、個体を識別する為の個体識別情報を含む信号である個体識別信号を送信する送信装置が存在する所定の空間を撮影して映像情報を取得する撮影手段と、前記個体識別信号の発信場所を特定する為の空間分解能を有し、前記送信装置から送信される個体識別信号を受信する受信手段と、前記撮影手段によって取得した前記映像情報と、前記受信手段によって受信した前記個体識別信号の発信場所とを対応付ける統括手段と、を具備することを特徴とする。